(57)【要約】  本発明は、チャネルの周波数ホッピングの決定方法及び装置、コンピュータ記憶媒体を開示する。前記方法は、端末は、帯域幅部分に対応する第１帯域幅を決定するステップであって、前記帯域幅部分に対応する第１帯域幅はシステム帯域幅に対応する第２帯域幅よりも小さいステップと、前記端末は、前記帯域幅部分に対応する第１帯域幅に基づいて、アップリンクチャネルに対応する周波数ホッピングのステップサイズを決定するステップと、前記端末は、前記アップリンクチャネルに対応する周波数ホッピングのステップサイズに基づいて、アップリンクチャネルを伝送するための周波数領域位置を決定するステップと、を含む。
2020533875.tif 000002
【特許請求の範囲】
【請求項１】
チャネルの周波数ホッピングの決定方法であって、
端末は、帯域幅部分に対応する第１帯域幅を決定するステップであって、前記帯域幅部分に対応する第１帯域幅はシステム帯域幅に対応する第２帯域幅よりも小さいステップと、
前記端末は、前記帯域幅部分に対応する第１帯域幅に基づいて、アップリンクチャネルに対応する周波数ホッピングのステップサイズを決定するステップと、
前記端末は、前記アップリンクチャネルに対応する周波数ホッピングのステップサイズに基づいて、アップリンクチャネルを伝送するための周波数領域位置を決定するステップと、を含む、ャンネルの周波数ホッピングの決定方法。
【請求項２】
前記端末は帯域幅部分に対応する第１帯域幅を決定するステップは、
前記端末は、第１構成情報を受信し、前記第１構成情報に基づいて前記帯域幅部分に対応する第１帯域幅を決定するステップを含む請求項１に記載のチャネルの周波数ホッピングの決定方法。
【請求項３】
前記端末が第１構成情報を受信するステップは、
前記端末は、前記第１構成情報を運ぶ無線リソース制御（ＲＲＣ）シグナリングを受信するステップ、または、
前記端末は、前記第１構成情報を運ぶシステム情報を受信するステップを含む、請求項２に記載のチャネルの周波数ホッピングの決定方法。
【請求項４】
前記端末は、第１構成情報を受信し、前記第１構成情報に基づいて前記帯域幅部分に対応する第１帯域幅を決定するステップは、
前記端末は、１つの第１構成情報を受信した場合、前記１つの第１構成情報に基づいて前記帯域幅部分に対応する第１帯域幅を決定するステップと、
前記端末は、複数の第１構成情報を受信した場合、前記複数の第１構成情報に基づいて前記帯域幅部分に対応する複数の候補第１帯域幅を決定し、前記帯域幅部分に対応する第１帯域幅を前記複数の候補第１帯域幅から選択するステップと、を含む、請求項２に記載のチャネルの周波数ホッピングの決定方法。
【請求項５】
前記帯域幅部分に対応する第１帯域幅を前記複数の候補第１帯域幅から選択するステップは、
前記端末は、第１制御シグナリングを受信し、前記第１制御シグナリングに基づいて、前記帯域幅部分に対応する第１帯域幅を前記複数の候補第１帯域幅から選択するステップを含む、請求項４に記載のチャネルの周波数ホッピングの決定方法。
【請求項６】
前記第１制御シグナリングは、ダウンリンク制御情報（ＤＣＩ）、またはメディアアクセス制御層の制御要素（ＭＡＣ  ＣＥ）である、請求項５に記載のチャネルの周波数ホッピングの決定方法。
【請求項７】
前記端末は、前記帯域幅部分に対応する第１帯域幅に基づいて、アップリンクチャネルに対応する周波数ホッピングのステップサイズを決定するステップは、
前記端末は、式ＷＨ＝ｎＷに基づいて、前記アップリンクチャネルに対応する周波数ホッピングのステップサイズを決定するステップを含み、
ＷＨはアップリンクチャネルに対応する周波数ホッピングのステップサイズであり、Ｗは帯域幅部分に対応する第１帯域幅であり、ｎは比例係数であり、ｎ＝１／ｍ、ｍは１より大きい正の整数である、請求項１または２に記載のチャネルの周波数ホッピングの決定方法。
【請求項８】
2020533875.tif 000007
【請求項９】
前記端末は、デフォルト値に基づいて前記ｎまたはＷＨを決定するステップ、または、
前記端末は、第２構成情報を受信し、前記第２構成情報に基づいて前記ｎまたはＷＨを決定するステップをさらに含む、請求項７または８に記載のチャネルの周波数ホッピングの決定方法。
【請求項１０】
前記端末は、第２構成情報を受信するステップは、
前記端末は、前記第２構成情報を運ぶＲＲＣシグナリングを受信するステップ、または、
前記端末は、前記第２構成情報を運ぶシステム情報を受信するステップを含む、請求項９に記載のチャネルの周波数ホッピングの決定方法。
【請求項１１】
前記第２構成情報と前記第１構成情報は、同一の構成情報である、請求項１０に記載のチャネルの周波数ホッピングの決定方法。
【請求項１２】
前記端末は、第２構成情報を受信し、前記第２構成情報に基づいて前記ｎまたはＷＨを決定するステップは、
前記端末は、１つの第２構成情報を受信した場合、前記１つの第２構成情報に基づいて前記ｎまたはＷＨを決定するステップと、
前記端末は、複数の第２構成情報を受信した場合、前記複数の第２構成情報に基づいて複数の候補ｎまたはＷＨを決定し、前記ｎまたはＷＨを前記複数の候補ｎまたはＷＨから選択するステップと、を含む、請求項９に記載のチャネルの周波数ホッピングの決定方法。
【請求項１３】
前記ｎまたはＷＨを前記複数の候補ｎまたはＷＨから選択するステップは、
前記端末は、第２制御シグナリングを受信し、前記第２制御シグナリングに基づいて、前記ｎまたはＷＨを前記複数の候補ｎまたはＷＨから選択するステップを含む、請求項１２に記載のチャネルの周波数ホッピングの決定方法。
【請求項１４】
前記第２制御シグナリングは、ＤＣＩ、またはＭＡＣ  ＣＥである、請求項１３に記載のチャネルの周波数ホッピングの決定方法。
【請求項１５】
前記第２制御シグナリングと前記第１制御シグナリングは、同一の制御シグナリングである、請求項１４に記載のチャネルの周波数ホッピングの決定方法。
【請求項１６】
前記端末は、前記アップリンクチャネルに対応する周波数ホッピングのステップサイズに基づいて、アップリンクチャネルを伝送するための周波数領域位置を決定するステップは、
前記端末は、周波数ホッピングの第１ステップの周波数領域位置及び前記アップリンクチャネルに対応する周波数ホッピングのステップサイズに基づいて、周波数ホッピングの第２ステップの周波数領域位置を決定するステップを含み、
前記周波数ホッピングの第１ステップの周波数領域位置及び前記周波数ホッピングの第２ステップの周波数領域位置は、アップリンクチャネルを伝送するための周波数領域位置である、請求項１に記載のチャネルの周波数ホッピングの決定方法。
【請求項１７】
前記端末は、第３制御シグナリングを受信し、前記第３制御シグナリングに基づいて、前記周波数ホッピングの第１ステップの周波数領域位置を決定するステップをさらに含む、請求項１６に記載のチャネルの周波数ホッピングの決定方法。
【請求項１８】
前記第３制御シグナリングは、ＤＣＩ、またはＭＡＣ  ＣＥである、請求項１７に記載のチャネルの周波数ホッピングの決定方法。
【請求項１９】
前記第３制御シグナリングは、前記第１制御シグナリング及び前記第２制御シグナリングのうちの少なくとも１つと同一の制御シグナリングである、請求項１８に記載のチャネルの周波数ホッピングの決定方法。
【請求項２０】
チャネルの周波数ホッピングの決定装置であって、
帯域幅部分に対応する第１帯域幅を決定するように構成される第１決定ユニットであって、前記帯域幅部分に対応する第１帯域幅はシステム帯域幅に対応する第２帯域幅よりも小さい、第１決定ユニットと、
前記帯域幅部分に対応する第１帯域幅に基づいて、アップリンクチャネルに対応する周波数ホッピングのステップサイズを決定するように構成される第２決定ユニットと、
前記アップリンクチャネルに対応する周波数ホッピングのステップサイズに基づいて、アップリンクチャネルを伝送するための周波数領域位置を決定するように構成される第３決定ユニットと、を備える、チャネルの周波数ホッピングの決定装置。
【請求項２１】
前記第１決定ユニットは、
第１構成情報を受信するように構成される第１受信サブユニットと、
前記第１構成情報に基づいて、前記帯域幅部分に対応する第１帯域幅を決定するように構成される第１決定サブユニットと、を備える、請求項２０に記載のチャネルの周波数ホッピングの決定装置。
【請求項２２】
前記第１受信サブユニットは、具体的には、前記第１構成情報を運ぶＲＲＣシグナリングを受信し、または、前記第１構成情報を運ぶシステム情報を受信するように構成される、請求項２１に記載のチャネルの周波数ホッピングの決定装置。
【請求項２３】
前記第１決定サブユニットは、具体的には、１つの第１構成情報を受信した場合、前記１つの第１構成情報に基づいて前記帯域幅部分に対応する第１帯域幅を決定し、複数の第１構成情報を受信した場合、前記複数の第１構成情報に基づいて前記帯域幅部分に対応する複数の候補第１帯域幅を決定し、前記帯域幅部分に対応する第１帯域幅を前記複数の候補第１帯域幅から選択するように構成される、請求項２１に記載のチャネルの周波数ホッピングの決定装置。
【請求項２４】
前記第１決定ユニットは、
第１制御シグナリングを受信するように構成される第２受信サブユニットをさらに備え、
前記第１決定サブユニットは、さらに、前記第１制御シグナリングに基づいて、前記帯域幅部分に対応する第１帯域幅を前記複数の候補第１帯域幅から選択するように構成される、請求項２３に記載のチャネルの周波数ホッピングの決定装置。
【請求項２５】
前記第１制御シグナリングは、ＤＣＩ、またはＭＡＣ  ＣＥである、請求項２４に記載のチャネルの周波数ホッピングの決定装置。
【請求項２６】
前記第２決定ユニットは、具体的には、式ＷＨ＝ｎＷに基づいて、前記アップリンクチャネルに対応する周波数ホッピングのステップサイズを決定するように構成され、
ＷＨはアップリンクチャネルに対応する周波数ホッピングのステップサイズであり、Ｗは帯域幅部分に対応する第１帯域幅であり、ｎは比例係数であり、ｎ＝１／ｍ、ｍは１より大きい正の整数である、請求項２０または２１に記載のチャネルの周波数ホッピングの決定装置。
【請求項２７】
2020533875.tif 000008
【請求項２８】
前記第２決定ユニットは、
デフォルト値に基づいて前記ｎまたはＷＨを決定するように構成される第２決定サブユニットを備え、
または、
第２構成情報を受信するように構成される第３受信サブユニットと、
前記第２構成情報に基づいて前記ｎまたはＷＨを決定するように構成される第２決定サブユニットと、を備える、請求項２６または２７に記載のチャネルの周波数ホッピングの決定装置。
【請求項２９】
前記第３受信サブユニットは、具体的には、前記第２構成情報を運ぶＲＲＣシグナリングを受信し、または、前記第２構成情報を運ぶシステム情報を受信するように構成される、請求項２８に記載のチャネルの周波数ホッピングの決定装置。
【請求項３０】
前記第２構成情報と前記第１構成情報は、同一の構成情報である、請求項２９に記載のチャネルの周波数ホッピングの決定装置。
【請求項３１】
前記第２決定サブユニットは、具体的には、１つの第２構成情報を受信した場合、前記１つの第２構成情報に基づいて前記ｎまたはＷＨを決定し、複数の第２構成情報を受信した場合、前記複数の第２構成情報に基づいて複数の候補ｎまたはＷＨを決定し、前記ｎまたはＷＨを前記複数の候補ｎまたはＷＨから選択するように構成される、請求項２８に記載のチャネルの周波数ホッピングの決定装置。
【請求項３２】
前記第２決定ユニットは、第２制御シグナリングを受信するように構成される第４受信サブユニットをさらに備え、
前記第２決定サブユニットは、さらに、前記第２制御シグナリングに基づいて、前記ｎまたはＷＨを前記複数の候補ｎまたはＷＨから選択するように構成される、請求項３１に記載のチャネルの周波数ホッピングの決定装置。
【請求項３３】
前記第２制御シグナリングは、ＤＣＩ、またはＭＡＣ  ＣＥである、請求項３２に記載のチャネルの周波数ホッピングの決定装置。
【請求項３４】
前記第２制御シグナリングと前記第１制御シグナリングは、同一の制御シグナリングである、請求項３３に記載のチャネルの周波数ホッピングの決定装置。
【請求項３５】
前記第３決定ユニットは、具体的には、周波数ホッピングの第１ステップの周波数領域位置及び前記アップリンクチャネルに対応する周波数ホッピングのステップサイズに基づいて、周波数ホッピングの第２ステップの周波数領域位置を決定するように構成され、
前記周波数ホッピングの第１ステップの周波数領域位置及び前記周波数ホッピングの第２ステップの周波数領域位置は、アップリンクチャネルを伝送するための周波数領域位置である、請求項２０に記載のチャネルの周波数ホッピングの決定装置。
【請求項３６】
前記第３決定ユニットは、
第３制御シグナリングを受信するように構成される第５受信サブユニットと、
前記第３制御シグナリングに基づいて、前記周波数ホッピングの第１ステップの周波数領域位置を決定するように構成される第３決定サブユニットと、を備える、請求項３５に記載のチャネルの周波数ホッピングの決定装置。
【請求項３７】
前記第３制御シグナリングは、ＤＣＩ、またはＭＡＣ  ＣＥである、請求項３６に記載のチャネルの周波数ホッピングの決定装置。
【請求項３８】
前記第３制御シグナリングは、前記第１制御シグナリング及び前記第２制御シグナリングのうちの少なくとも１つと同一の制御シグナリングである、請求項３７に記載のチャネルの周波数ホッピングの決定装置。
【請求項３９】
コンピュータ実行可能命令が記憶されているコンピュータ記憶媒体であって、
前記コンピュータ実行可能命令がプロセッサによって実行されるときに、請求項１から１９のいずれか１項に記載のチャネルの周波数ホッピングの決定方法のステップを実現するコンピュータ記憶媒体。
【発明の詳細な説明】
【技術分野】
【０００１】
本発明は、移動通信分野の周波数ホッピング技術に関し、特にチャネルの周波数ホッピングの決定方法及び装置、コンピュータ記憶媒体に関する。
【背景技術】
【０００２】
ロングタームエボリューション（ＬＴＥ：Ｌｏｎｇ  Ｔｅｒｍ  Ｅｖｏｌｕｔｉｏｎ）システムでは、物理アップリンク制御チャネル（ＰＵＣＣＨ：Ｐｈｙｓｉｃａｌ  Ｕｐｌｉｎｋ  Ｃｏｎｔｒｏｌ  ＣＨａｎｎｅｌ）は周波数ホッピング技術を使用して、周波数領域ダイバーシティゲインを取得し、チャネル伝送性能を向上させることができる。ＬＴＥでは、ＰＵＣＣＨ周波数ホッピングの第１ステップと第２ステップは、システム帯域幅の中心で鏡面対称であり、図１に示されるように、第１ステップとシステム帯域幅の下縁との距離は、第２ステップとシステム帯域幅の上縁との距離と同じままで維持され、いずれもＤである。
【０００３】
ＰＵＣＣＨ周波数ホッピンに対する上記設計により、ＰＵＣＣＨをシステム帯域幅の両側に分布し、システム帯域幅の中心部分を、物理アップリンク共有チャネル（ＰＵＳＣＨ：Ｐｈｙｓｉｃａｌ  Ｕｐｌｉｎｋ  Ｓｈａｒｅｄ  Ｃｈａｎｎｅｌ）などのデータチャネルに配分することができるが、端末ごとに異なるＰＵＣＣＨ周波数ホッピングのステップサイズをもたらす。図２に示されるように、一部の端末の周波数ホッピングのステップサイズが大きく、ＰＵＣＣＨがシステム帯域幅の縁部により近く、周波数領域ダイバーシティの効果がより良好で、伝送性能がより高く、また、他の端末の周波数ホッピングのステップサイズが小さく、ＰＵＣＣＨがシステム帯域幅の中心により近く、周波数領域ダイバーシティの効果がより悪く、伝送性能が低い。それによって、従来のＰＵＣＣＨ周波数ホッピングの設計により、ＰＵＣＣＨ周波数ホッピングのステップサイズが安定せず、ＰＵＣＣＨ容量が大きい場合、一部の端末のＰＵＣＣＨ伝送性能が低下することが分かる。
【発明の概要】
【発明が解決しようとする課題】
【０００４】
上記技術課題を解決するために、本発明の実施例は、チャネルの周波数ホッピングの決定方法及び装置、コンピュータ記憶媒体を提供する。
【課題を解決するための手段】
【０００５】
本発明の実施例に係るチャネルの周波数ホッピングの決定方法は、
端末は、帯域幅部分に対応する第１帯域幅を決定するステップであって、前記帯域幅部分に対応する第１帯域幅はシステム帯域幅に対応する第２帯域幅よりも小さいステップと、
前記端末は、前記帯域幅部分に対応する第１帯域幅に基づいて、アップリンクチャネルに対応する周波数ホッピングのステップサイズを決定するステップと、
前記端末は、前記アップリンクチャネルに対応する周波数ホッピングのステップサイズに基づいて、アップリンクチャネルを伝送するための周波数領域位置を決定するステップと、を含む。
【０００６】
本発明の実施例では、前記端末は帯域幅部分に対応する第１帯域幅を決定するステップは、
前記端末は、第１構成情報を受信し、前記第１構成情報に基づいて前記帯域幅部分に対応する第１帯域幅を決定するステップを含む。
【０００７】
本発明の実施例では、前記端末が第１構成情報を受信するステップは、
前記端末は、前記第１構成情報を運ぶ無線リソース制御（ＲＲＣ：Ｒａｄｉｏ  Ｒｅｓｏｕｒｃｅ  Ｃｏｎｔｒｏｌ）シグナリングを受信するステップ、または、
前記端末は、前記第１構成情報を運ぶシステム情報を受信するステップを含む。
【０００８】
本発明の実施例では、前記端末が、第１構成情報を受信し、前記第１構成情報に基づいて前記帯域幅部分に対応する第１帯域幅を決定するステップは、
前記端末は、１つの第１構成情報を受信した場合、前記１つの第１構成情報に基づいて前記帯域幅部分に対応する第１帯域幅を決定するステップと、
前記端末は、複数の第１構成情報を受信した場合、前記複数の第１構成情報に基づいて前記帯域幅部分に対応する複数の候補第１帯域幅を決定し、前記帯域幅部分に対応する第１帯域幅を前記複数の候補第１帯域幅から選択するステップと、を含む。
【０００９】
本発明の実施例では、前記帯域幅部分に対応する第１帯域幅を前記複数の候補第１帯域幅から選択するステップは、
前記端末は、第１制御シグナリングを受信し、前記第１制御シグナリングに基づいて、前記帯域幅部分に対応する第１帯域幅を前記複数の候補第１帯域幅から選択するステップを含む。
【００１０】
本発明の実施例では、前記第１制御シグナリングは、ダウンリンク制御シグナリング（ＤＣＩ：Ｄｏｗｎｌｉｎｋ  Ｃｏｎｔｒｏｌ  Ｉｎｆｏｒｍａｔｉｏｎ）、またはメディアアクセス制御層の制御シグナリング（ＭＡＣ  ＣＥ：Ｍｅｄｉａ  Ａｃｃｅｓｓ  Ｃｏｎｔｒｏｌ  Ｃｏｎｔｒｏｌ  Ｅｌｅｍｅｎｔ）である。
【００１１】
本発明の実施例では、前記端末が、前記帯域幅部分に対応する第１帯域幅に基づいて、アップリンクチャネルに対応する周波数ホッピングのステップサイズを決定するステップは、
前記端末は、式ＷＨ＝ｎＷに基づいて、前記アップリンクチャネルに対応する周波数ホッピングのステップサイズを決定するステップを含み、
ＷＨはアップリンクチャネルに対応する周波数ホッピングのステップサイズであり、Ｗは帯域幅部分に対応する第１帯域幅であり、ｎは比例係数であり、ｎ＝１／ｍ、ｍは１より大きい正の整数である。
【００１２】
2020533875.tif 000003
【００１３】
実際の意味を持つと、周波数ホッピングのステップサイズが周波数領域スケジューリングユニットの整数倍に等しくなければならないため、本発明の実施例のＷＨの値は整数である。
【００１４】
本発明の実施例では、前記方法は、
前記端末は、デフォルト値に基づいて前記ｎまたはＷＨを決定するステップ、または、
前記端末は、第２構成情報を受信し、前記第２構成情報に基づいて前記ｎまたはＷＨを決定するステップをさらに含む。
【００１５】
本発明の実施例では、前記端末が第２構成情報を受信するステップは、
前記端末は、前記第２構成情報を運ぶＲＲＣシグナリングを受信するステップ、または、
前記端末は、前記第２構成情報を運ぶシステム情報を受信するステップを含む。
【００１６】
本発明の実施例では、前記第２構成情報と前記第１構成情報は、同一の構成情報である。
【００１７】
本発明の実施例では、前記端末は、第２構成情報を受信し、前記第２構成情報に基づいて前記ｎまたはＷＨを決定するステップ、
前記端末は、１つの第２構成情報を受信した場合、前記１つの第２構成情報に基づいて前記ｎまたはＷＨを決定するステップと、
前記端末は、複数の第２構成情報を受信した場合、前記複数の第２構成情報に基づいて複数の候補ｎまたはＷＨを決定し、前記ｎまたはＷＨを前記複数の候補ｎまたはＷＨから選択するステップと、を含む。
【００１８】
本発明の実施例では、前記ｎまたはＷＨを前記複数の候補ｎまたはＷＨから選択するステップは、
前記端末は、第２制御シグナリングを受信し、前記第２制御シグナリングに基づいて、前記ｎまたはＷＨを前記複数の候補ｎまたはＷＨから選択するステップを含む。
【００１９】
本発明の実施例では、前記第２制御シグナリングは、ＤＣＩ、またはＭＡＣ  ＣＥである。
【００２０】
本発明の実施例では、前記第２制御シグナリングと前記第１制御シグナリングは、同一の制御シグナリングである。
【００２１】
本発明の実施例では、前記端末は、前記アップリンクチャネルに対応する周波数ホッピングのステップサイズに基づいて、アップリンクチャネルを伝送するための周波数領域位置を決定するステップは、
前記端末は、周波数ホッピングの第１ステップの周波数領域位置及び前記アップリンクチャネルに対応する周波数ホッピングのステップサイズに基づいて、周波数ホッピングの第２ステップの周波数領域位置を決定するステップを含む。
【００２２】
ここで、前記周波数ホッピングの第１ステップの周波数領域位置及び前記周波数ホッピングの第２ステップの周波数領域位置は、アップリンクチャネルを伝送するための周波数領域位置である。
【００２３】
本発明の実施例では、前記方法は、
前記端末は、第３制御シグナリングを受信し、前記第３制御シグナリングに基づいて、前記周波数ホッピングの第１ステップの周波数領域位置を決定するステップをさらに含む。
【００２４】
本発明の実施例では、前記第３制御シグナリングは、ＤＣＩ、またはＭＡＣ  ＣＥである。
【００２５】
本発明の実施例では、前記第３制御シグナリングは、前記第１制御シグナリング及び前記第２制御シグナリングのうちの少なくとも１つと同一の制御シグナリングである。
【００２６】
本発明の実施例に係るチャネルの周波数ホッピングの決定装置は、帯域幅部分に対応する第１帯域幅を決定するように構成される第１決定ユニットであって、前記帯域幅部分に対応する第１帯域幅はシステム帯域幅に対応する第２帯域幅よりも小さい第１決定ユニットと、
前記帯域幅部分に対応する第１帯域幅に基づいて、アップリンクチャネルに対応する周波数ホッピングのステップサイズを決定するように構成される第２決定ユニットと、
前記アップリンクチャネルに対応する周波数ホッピングのステップサイズに基づいて、アップリンクチャネルを伝送するための周波数領域位置を決定するように構成される第３決定ユニットと、を備える。
【００２７】
本発明の実施例では、前記第１決定ユニットは、
第１構成情報を受信するように構成される第１受信サブユニットと、
前記第１構成情報に基づいて、前記帯域幅部分に対応する第１帯域幅を決定するように構成される第１決定サブユニットと、を備える。
【００２８】
本発明の実施例では、前記第１受信サブユニットは、具体的には、前記第１構成情報を運ぶＲＲＣシグナリングを受信し、または、前記第１構成情報を運ぶシステム情報を受信するように構成される。
【００２９】
本発明の実施例では、前記第１決定サブユニットは、具体的には、１つの第１構成情報を受信した場合、前記１つの第１構成情報に基づいて前記帯域幅部分に対応する第１帯域幅を決定し、複数の第１構成情報を受信した場合、前記複数の第１構成情報に基づいて前記帯域幅部分に対応する複数の候補第１帯域幅を決定し、前記帯域幅部分に対応する第１帯域幅を前記複数の候補第１帯域幅から選択するように構成される。
【００３０】
本発明の実施例では、前記第１決定ユニットは、
第１制御シグナリングを受信するように構成される第２受信サブユニットをさらに備え、
前記第１決定サブユニットは、さらに、前記第１制御シグナリングに基づいて、前記帯域幅部分に対応する第１帯域幅を前記複数の候補第１帯域幅から選択するように構成される。
【００３１】
本発明の実施例では、前記第１制御シグナリングは、ＤＣＩ、またはＭＡＣ  ＣＥである。
【００３２】
本発明の実施例では、前記第２決定ユニットは、具体的には、式ＷＨ＝ｎＷに基づいて、前記アップリンクチャネルに対応する周波数ホッピングのステップサイズを決定するように構成され、
ＷＨはアップリンクチャネルに対応する周波数ホッピングのステップサイズであり、Ｗは帯域幅部分に対応する第１帯域幅であり、ｎは比例係数であり、ｎ＝１／ｍ、ｍは１より大きい正の整数である。
【００３３】
2020533875.tif 000004
【００３４】
実際の意味を持つと、周波数ホッピングのステップサイズが周波数領域スケジューリングユニットの整数倍に等しくなければならないため、本発明の実施例のＷＨの値は整数である。
【００３５】
本発明の実施例では、前記第２決定ユニットは、
デフォルト値に基づいて前記ｎまたはＷＨを決定するように構成される第２決定サブユニットを備え、
または、
第２構成情報を受信するように構成される第３受信サブユニットと、前記第２構成情報に基づいて前記ｎまたはＷＨを決定するように構成される第２決定サブユニットと、を備える。
【００３６】
本発明の実施例では、前記第３受信サブユニットは、具体的には、前記第２構成情報を運ぶＲＲＣシグナリングを受信し、または、前記第２構成情報を運ぶシステム情報を受信するように構成される。
【００３７】
本発明の実施例では、前記第２構成情報と前記第１構成情報は、同一の構成情報である。
【００３８】
本発明の実施例では、前記第２決定サブユニットは、具体的には、１つの第２構成情報を受信した場合、前記１つの第２構成情報に基づいて前記ｎまたはＷＨを決定し、複数の第２構成情報を受信した場合、前記複数の第２構成情報に基づいて複数の候補ｎまたはＷＨを決定し、前記ｎまたはＷＨを前記複数の候補ｎまたはＷＨから選択するように構成される。
【００３９】
本発明の実施例では、前記第２決定ユニットは、第２制御シグナリングを受信するように構成される第４受信サブユニットをさらに備え、
前記第２決定サブユニットは、さらに、前記第２制御シグナリングに基づいて、前記ｎまたはＷＨを前記複数の候補ｎまたはＷＨから選択するように構成される。
【００４０】
本発明の実施例では、前記第２制御シグナリングは、ＤＣＩ、またはＭＡＣ  ＣＥである。
【００４１】
本発明の実施例では、前記第２制御シグナリングと前記第１制御シグナリングは、同一の制御シグナリングである。
【００４２】
本発明の実施例では、前記第３決定ユニットは、具体的には、周波数ホッピングの第１ステップの周波数領域位置及び前記アップリンクチャネルに対応する周波数ホッピングのステップサイズに基づいて、周波数ホッピングの第２ステップの周波数領域位置を決定するように構成され、
ここで、前記周波数ホッピングの第１ステップの周波数領域位置及び前記周波数ホッピングの第２ステップの周波数領域位置は、アップリンクチャネルを伝送するための周波数領域位置である。
【００４３】
本発明の実施例では、前記第３決定ユニットは、
第３制御シグナリングを受信するように構成される第５受信サブユニットと、
前記第３制御シグナリングに基づいて、前記周波数ホッピングの第１ステップの周波数領域位置を決定するように構成される第３決定サブユニットと、を備える。
【００４４】
本発明の実施例では、前記第３制御シグナリングは、ＤＣＩ、またはＭＡＣ  ＣＥである。
【００４５】
本発明の実施例では、前記第３制御シグナリングは、前記第１制御シグナリング及び前記第２制御シグナリングのうちの少なくとも１つと同一の制御シグナリングである。
【００４６】
本発明の実施例に係るコンピュータ記憶媒体は、コンピュータ実行可能命令が記憶されており、該コンピュータ実行可能命令がプロセッサによって実行されるときに、上記チャネルの周波数ホッピングの決定方法を実現する。
【発明の効果】
【００４７】
本発明の実施例の技術案において、端末は、システム帯域幅に対応する第２帯域幅よりも小さい、帯域幅部分に対応する第１帯域幅を決定し、前記端末は、前記帯域幅部分に対応する第１帯域幅に基づいて、アップリンクチャネルに対応する周波数ホッピングのステップサイズを決定し、前記端末は、前記アップリンクチャネルに対応する周波数ホッピングのステップサイズに基づいて、アップリンクチャネルを伝送するための周波数領域位置を決定する。本発明の実施例の技術案を使用することにより、帯域幅部分の帯域幅の大きさが設定される状況で、安定した周波数ホッピングのステップサイズを実現することができ、それにより、より安定した周波数領域ダイバーシティゲインを取得し、アップリンクチャネル（特にアップリンク制御チャネル）の伝送性能を改善する。
【図面の簡単な説明】
【００４８】
ここで説明した図面は、本発明のさらなる理解を提供するために用いられ、本願の一部を構成し、本発明の例示的な実施例及び説明は、本発明を解釈するためであり、本発明を不適に限定するものではない。
【図１】図１は従来のＰＵＣＣＨ周波数領域構造の概略図１である。
【図２】図２は従来のＰＵＣＣＨ周波数領域構造の概略図２である。
【図３】図３は本発明の実施例のチャネルの周波数ホッピングの決定方法のプロセス概略図である。
【図４】図４は本発明の実施例のＰＵＣＣＨ周波数領域構造の概略図１である。
【図５】図５は本発明の実施例のＰＵＣＣＨ周波数領域構造の概略図２である。
【図６】図６は本発明の実施例のチャネルの周波数ホッピングの決定装置の構造構成概略図１である。
【図７】図７は本発明の実施例のチャネルの周波数ホッピングの決定装置の構造構成概略図２である。
【図８】図８は本発明の実施例の端末の構造構成概略図である。
【発明を実施するための形態】
【００４９】
以下、本発明の実施例の特徴及び技術的内容をより詳細に理解するために、図面を参照しながら本発明の実施例の実現を詳しく説明し、添付の図面は、参照して説明するためのものに過ぎず、本発明の実施例を限定するものではない。
【００５０】
第５世代移動通信（５Ｇ  ＮＲ）システムは、将来の移動通信システムの研究の方向である。５Ｇ  ＮＲシステムでは、周波数領域のリソースの割り当ての柔軟性を高め、端末の消費電力を低減させるために、５Ｇ  ＮＲ端末は、システム帯域幅よりも小さい帯域幅部分（Ｂａｎｄｗｉｄｔｈ  Ｐａｒｔ）で信号を伝送することができ、帯域幅部分の帯域幅が小さい場合、中心に位置するＰＵＣＣＨの周波数ホッピングのステップサイズがさらに小さくなり、ＰＵＣＣＨの伝送性能に影響を与える。一方、５Ｇ  ＮＲには新型多入力多出力（ＭＩＭＯ：Ｍｕｌｔｉｐｌｅ−Ｉｎｐｕｔ  Ｍｕｌｔｉｐｌｅ−Ｏｕｔｐｕｔ）技術などの一連の新しい技術が導入されるため、より多くのチャネル状態情報リポート（ＣＳＩ  ｒｅｐｏｒｔ）が必要であり、ＰＵＣＣＨの負荷が大幅に大きくなり、ＰＵＣＣＨが帯域幅部分において周波数領域リソースのより大きな割合を占めるようになり、帯域幅部分の中心に近いＰＵＣＣＨ周波数ホッピングのステップサイズはより小さくなり、伝送性能はさらに低下する。
【００５１】
このため、本発明の実施例は、チャネルの周波数ホッピングの決定方法を提供し、帯域幅部分の帯域幅の大きさが設定される状況で、安定した周波数ホッピングのステップサイズを実現することができ、それにより、より安定した周波数領域ダイバーシティゲインを取得し、アップリンクチャネル（特にアップリンク制御チャネル）の伝送性能を改善する。
【００５２】
図３は本発明の実施例のチャネルの周波数ホッピングの決定方法のプロセス概略図であり、図３に示されるように、前記チャネルの周波数ホッピングの決定方法は以下のステップを含む。
【００５３】
ステップ３０１：端末は、帯域幅部分に対応する第１帯域幅を決定し、前記帯域幅部分に対応する第１帯域幅はシステム帯域幅に対応する第２帯域幅よりも小さい。
【００５４】
本発明の実施例では、端末のタイプが限定されず、端末は、携帯電話、ノートパソコン、タブレットコンピュータ、デスクトップコンピュータ、車載端末、スマートホーム端末等の任意のタイプであってもよい。
【００５５】
本発明の実施例では、基地局によってサポートされる帯域幅は、システム帯域幅、すなわち第２帯域幅と呼称される。ＬＴＥでは、端末は、システム帯域幅全体で信号を伝送する。５Ｇ  ＮＲシステムでは、端末はシステム帯域幅の一部のみに信号を伝送し、システム帯域幅の一部は帯域幅部分と呼称され、帯域幅部分を介してシステム帯域幅のリソースの利用効率を効果的に向上させることができる。
【００５６】
本発明の実施例では、アップリンクチャネルは、周波数ホッピングの方式で伝送されることができ、周波数ホッピングが２つのステップを含むのを例として挙げれば、周波数領域での周波数ホッピングの第１ステップと周波数ホッピングの第２ステップの差値は周波数ホッピングのステップサイズであり、周波数ホッピングのステップサイズの大きさはアップリンクチャネルの周波数領域ダイバーシティゲインを決め、周波数ホッピングのステップサイズが大きいほど、アップリンクチャネルの周波数領域ダイバーシティゲインが大きくなり、逆に、周波数ホッピングのステップサイズが小さいほど、アップリンクチャネルの周波数領域ダイバーシティゲインが小さくなる。安定し且つ大きな周波数領域ダイバーシティゲインを得るために、本発明の実施例は、帯域幅部分に対応する第１帯域幅に基づいて、アップリンクチャネルに対応する周波数ホッピングのステップサイズを決定し、それによりアップリンクチャネル（特にアップリンク制御チャネル）の伝送性能を改善する。
【００５７】
具体的には、端末は、先ず帯域幅部分に対応する第１帯域幅を決定する必要があり、明らかに、帯域幅部分に対応する第１帯域幅はシステム帯域幅に対応する第２帯域幅よりも小さい。
【００５８】
本発明の実施例では、端末は、第１構成情報を受信し、前記第１構成情報に基づいて前記帯域幅部分に対応する第１帯域幅を決定する。
【００５９】
ここで、端末が第１構成情報を受信することは以下の２種の方式で実現される。
方式１：端末は、前記第１構成情報を運ぶＲＲＣシグナリングを受信する。
方式２：端末は、前記第１構成情報を運ぶシステム情報を受信する。
【００６０】
上記技術案では、端末が受信した第１構成情報の数は、１つでも複数でもよく、ここで、複数とは、２つ以上を意味する。
【００６１】
前記端末は、１つの第１構成情報を受信した場合、前記１つの第１構成情報に基づいて前記帯域幅部分に対応する第１帯域幅を決定する。
【００６２】
前記端末は、複数の第１構成情報を受信した場合、前記複数の第１構成情報に基づいて前記帯域幅部分に対応する複数の候補第１帯域幅を決定し、前記帯域幅部分に対応する第１帯域幅を前記複数の候補第１帯域幅から選択する。
【００６３】
端末は、第１制御シグナリングを受信し、前記第１制御シグナリングに基づいて、前記帯域幅部分に対応する第１帯域幅を前記複数の候補第１帯域幅から選択する。前記第１制御シグナリングは、ＤＣＩ、またはＭＡＣ  ＣＥである。
【００６４】
ステップ３０２：前記端末は、前記帯域幅部分に対応する第１帯域幅に基づいて、アップリンクチャネルに対応する周波数ホッピングのステップサイズを決定する。
【００６５】
本発明の実施例では、端末は、式ＷＨ＝ｎＷに基づいて、前記アップリンクチャネルに対応する周波数ホッピングのステップサイズを決定し、
ＷＨはアップリンクチャネルに対応する周波数ホッピングのステップサイズであり、Ｗは帯域幅部分に対応する第１帯域幅であり、ｎは比例係数であり、ｎ＝１／ｍ、ｍは１より大きい正の整数である。
【００６６】
2020533875.tif 000005
【００６７】
実際の意味を持つと、周波数ホッピングのステップサイズが周波数領域スケジューリングユニットの整数倍に等しくなければならないため、本発明の実施例のＷＨの値は整数である。
【００６８】
たとえば、ｎは１／２、１／４などであってもよく、異なる端末は同じｎ値に対応することができ、または、異なる端末が異なるｎ値に対応してもよい。
【００６９】
上記技術案では、端末は、先ずｎまたはＷＨを決定する必要があり、具体的には、端末は、デフォルト値に基づいて前記ｎまたはＷＨを決定し、または、端末は、第２構成情報を受信し、前記第２構成情報に基づいて前記ｎまたはＷＨを決定する。
【００７０】
端末が第２構成情報を受信することは以下の２種の方式で実現することができる。
方式１：端末は、前記第２構成情報を運ぶＲＲＣシグナリングを受信する。
方式２：端末は、前記第２構成情報を運ぶシステム情報を受信する。
【００７１】
本発明の一実施形態では、前記第２構成情報と前記第１構成情報は、同一の構成情報である。
【００７２】
上記技術案では、端末が受信した第２構成情報の数が１つでも複数でもよい。
【００７３】
前記端末は、１つの第２構成情報を受信した場合、前記１つの第２構成情報に基づいて前記ｎまたはＷＨを決定する。
【００７４】
前記端末は、複数の第２構成情報を受信した場合、前記複数の第２構成情報に基づいて複数の候補ｎまたはＷＨを決定し、前記ｎまたはＷＨを前記複数の候補ｎまたはＷＨから選択する。
【００７５】
端末は、第２制御シグナリングを受信し、前記第２制御シグナリングに基づいて、前記ｎまたはＷＨを前記複数の候補ｎまたはＷＨから選択する。前記第２制御シグナリングは、ＤＣＩ、またはＭＡＣ  ＣＥである。
【００７６】
本発明の一実施形態では、前記第２制御シグナリングと前記第１制御シグナリングは、同一の制御シグナリングである。
【００７７】
ステップ３０３：前記端末は、前記アップリンクチャネルに対応する周波数ホッピングのステップサイズに基づいて、アップリンクチャネルを伝送するための周波数領域位置を決定する。
【００７８】
本発明の実施例では、端末は、周波数ホッピングの第１ステップの周波数領域位置及び前記アップリンクチャネルに対応する周波数ホッピングのステップサイズに基づいて、周波数ホッピングの第２ステップの周波数領域位置を決定し、前記周波数ホッピングの第１ステップの周波数領域位置及び前記周波数ホッピングの第２ステップの周波数領域位置は、アップリンクチャネルを伝送するための周波数領域位置である。
【００７９】
端末は、第３制御シグナリングを受信し、前記第３制御シグナリングに基づいて、前記周波数ホッピングの第１ステップの周波数領域位置を決定する。前記第３制御シグナリングは、ＤＣＩ、またはＭＡＣ  ＣＥである。
【００８０】
本発明の実施例では、前記第３制御シグナリングは、前記第１制御シグナリング及び前記第２制御シグナリングのうちの少なくとも１つと同一の制御シグナリングである。
【００８１】
以下、特定の応用例を組み合わせて本発明の実施例の技術案を更に詳細に説明する。
【００８２】
応用例１：
本例では、ＰＵＣＣＨ周波数領域に対して、１つの帯域幅部分で同じ周波数ホッピングのステップサイズを使用する。
【００８３】
図４は本発明の実施例のＰＵＣＣＨ周波数領域構造の概略図１であり、図４に示されるように、特定の帯域幅部分または特定種類の帯域幅部分の帯域幅の大きさがＷであり、ＰＵＣＣＨ周波数領域の周波数ホッピングのステップサイズＷＨが帯域幅部分の帯域幅の大きさＷに対応し、たとえば、ＷＨ＝Ｗ／２である。
【００８４】
一の実施形態では、同じサイズの帯域幅部分を使用する複数の端末については、いずれも同じＷＨを使用する。たとえば、帯域幅部分１の帯域幅の大きさがＷ１であり、帯域幅部分２の帯域幅の大きさがＷ２であり、その場合、帯域幅部分１での複数の端末は同じＷＨ＝Ｗ１／２を使用し、帯域幅部分２での複数の端末は同じＷＨ＝Ｗ２／２を使用する。
【００８５】
別の実施形態では、同じ大きさの帯域幅部分を使用する複数の端末については、いずれも同じＷＨを使用する。たとえば、帯域幅部分１及び帯域幅部分２の帯域幅の大きさはいずれもＷでありその場合、帯域幅部分１と帯域幅部分２での複数の端末はいずれも同じＷＨ＝Ｗ／２を使用する。
【００８６】
応用例２：
本例では、ＰＵＣＣＨ周波数領域に対して、１つの帯域幅部分で複数種の周波数ホッピングのステップサイズを使用する。
【００８７】
図５は本発明の実施例のＰＵＣＣＨ周波数領域構造の概略図２であり、図５に示されるように、特定の帯域幅部分または特定種類の帯域幅部分の帯域幅の大きさがＷであり、ＰＵＣＣＨ周波数領域の周波数ホッピングのステップサイズＷＨが帯域幅部分の帯域幅の大きさＷに対応する。同じ帯域幅部分または同じ大きさの帯域幅部分を使用する複数の端末については、異なるＷＨ構成を使用し、たとえば、端末１のＷＨ＝Ｗ／４であり、端末２のＷＨ＝Ｗ／２であり、すなわち、端末１と端末２は異なるｎ構成を使用し、すなわち端末１のｎ＝４であり、端末２のｎ＝２である。
【００８８】
図６は本発明の実施例のチャネルの周波数ホッピングの決定装置の構造構成概略図１であり、図６に示されるように、前記チャネルの周波数ホッピングの決定装置は、
帯域幅部分に対応する第１帯域幅を決定するように構成される第１決定ユニット６０１であって、前記帯域幅部分に対応する第１帯域幅はシステム帯域幅に対応する第２帯域幅よりも小さい第１決定ユニット６０１と、
前記帯域幅部分に対応する第１帯域幅に基づいて、アップリンクチャネルに対応する周波数ホッピングのステップサイズを決定するように構成される第２決定ユニット６０２と、
前記アップリンクチャネルに対応する周波数ホッピングのステップサイズに基づいて、アップリンクチャネルを伝送するための周波数領域位置を決定するように構成される第３決定ユニット６０３と、を備える。
【００８９】
当業者は、図６に示されるチャネルの周波数ホッピングの決定装置における各ユニットの実現機能については、上記チャネルの周波数ホッピングの決定方法の関連する説明を参照することにより理解できることを理解すべきである。図６に示されるチャネルの周波数ホッピングの決定装置における各ユニットの機能は、プロセッサで実行されるプログラムによって実現されてもよく、または具体的な論理回路によって実現されてもよい。
【００９０】
図７は本発明の実施例のチャネルの周波数ホッピングの決定装置の構造構成概略図２であり、図７に示されるように、前記チャネルの周波数ホッピングの決定装置は、
帯域幅部分に対応する第１帯域幅を決定するように構成される第１決定ユニット７０１であって、前記帯域幅部分に対応する第１帯域幅はシステム帯域幅に対応する第２帯域幅よりも小さい第１決定ユニット７０１と、
前記帯域幅部分に対応する第１帯域幅に基づいて、アップリンクチャネルに対応する周波数ホッピングのステップサイズを決定するように構成される第２決定ユニット７０２と、
前記アップリンクチャネルに対応する周波数ホッピングのステップサイズに基づいて、アップリンクチャネルを伝送するための周波数領域位置を決定するように構成される第３決定ユニット７０３と、を備える。
【００９１】
本発明の実施例では、前記第１決定ユニット７０１は、
第１構成情報を受信するように構成される第１受信サブユニット７０１１と、
前記第１構成情報に基づいて、前記帯域幅部分に対応する第１帯域幅を決定するように構成される第１決定サブユニット７０１２と、を備える。
【００９２】
本発明の実施例では、前記第１受信サブユニット７０１１は、具体的には、前記第１構成情報を運ぶＲＲＣシグナリングを受信し、または、前記第１構成情報を運ぶシステム情報を受信するように構成される。
【００９３】
本発明の実施例では、前記第１決定サブユニット７０１２は、具体的には、１つの第１構成情報を受信した場合、前記１つの第１構成情報に基づいて前記帯域幅部分に対応する第１帯域幅を決定し、複数の第１構成情報を受信した場合、前記複数の第１構成情報に基づいて前記帯域幅部分に対応する複数の候補第１帯域幅を決定し、前記帯域幅部分に対応する第１帯域幅を前記複数の候補第１帯域幅から選択するように構成される。
【００９４】
本発明の実施例では、前記第１決定ユニット７０１は、
第１制御シグナリングを受信するように構成される第２受信サブユニット７０１３をさらに備える。
【００９５】
前記第１決定サブユニット７０１２は、さらに、前記第１制御シグナリングに基づいて、前記帯域幅部分に対応する第１帯域幅を前記複数の候補第１帯域幅から選択するように構成される。
【００９６】
本発明の実施例では、前記第１制御シグナリングは、ＤＣＩ、またはＭＡＣ  ＣＥである。
【００９７】
本発明の実施例では、前記第２決定ユニット７０２は、具体的には、式ＷＨ＝ｎＷに基づいて、前記アップリンクチャネルに対応する周波数ホッピングのステップサイズを決定するように構成される。
【００９８】
ここで、ＷＨはアップリンクチャネルに対応する周波数ホッピングのステップサイズであり、Ｗは帯域幅部分に対応する第１帯域幅であり、ｎは比例係数であり、ｎ＝１／ｍ、ｍは１より大きい正の整数である。
【００９９】
2020533875.tif 000006
【０１００】
実際の意味を持つと、周波数ホッピングのステップサイズが周波数領域スケジューリングユニットの整数倍に等しくなければならないため、本発明の実施例のＷＨの値は整数である。
【０１０１】
本発明の実施例では、前記第２決定ユニット７０２は、
デフォルト値に基づいて前記ｎまたはＷＨを決定するように構成される第２決定サブユニット７０２１を備え、
または、
第２構成情報を受信するように構成される第３受信サブユニット７０２２と、前記第２構成情報に基づいて前記ｎまたはＷＨを決定するように構成される第２決定サブユニット７０２１と、を備える。
【０１０２】
本発明の実施例では、前記第３受信サブユニット７０２２は、具体的には、前記第２構成情報を運ぶＲＲＣシグナリングを受信し、または、前記第２構成情報を運ぶシステム情報を受信するように構成される。
【０１０３】
本発明の実施例では、前記第２構成情報と前記第１構成情報は、同一の構成情報である。
【０１０４】
本発明の実施例では、前記第２決定サブユニット７０２１は、具体的には、１つの第２構成情報を受信した場合、前記１つの第２構成情報に基づいて前記ｎまたはＷＨを決定し、複数の第２構成情報を受信した場合、前記複数の第２構成情報に基づいて複数の候補ｎまたはＷＨを決定し、前記ｎまたはＷＨを前記複数の候補ｎまたはＷＨから選択するように構成される。
【０１０５】
本発明の実施例では、前記第２決定ユニット７０２は、第２制御シグナリングを受信するように構成される第４受信サブユニット７０２３をさらに備え、
前記第２決定サブユニット７０２１は、さらに、前記第２制御シグナリングに基づいて、前記ｎまたはＷＨを前記複数の候補ｎまたはＷＨから選択するように構成される。
【０１０６】
本発明の実施例では、前記第２制御シグナリングは、ＤＣＩ、またはＭＡＣ  ＣＥである。
【０１０７】
本発明の実施例では、前記第２制御シグナリングと前記第１制御シグナリングは、同一の制御シグナリングである。
【０１０８】
本発明の実施例では、前記第３決定ユニット７０３は、具体的には、周波数ホッピングの第１ステップの周波数領域位置及び前記アップリンクチャネルに対応する周波数ホッピングのステップサイズに基づいて、周波数ホッピングの第２ステップの周波数領域位置を決定するように構成され、
ここで、前記周波数ホッピングの第１ステップの周波数領域位置及び前記周波数ホッピングの第２ステップの周波数領域位置は、アップリンクチャネルを伝送するための周波数領域位置である。
【０１０９】
本発明の実施例では、前記第３決定ユニット７０３は、
第３制御シグナリングを受信するように構成される第５受信サブユニット７０３１と、
前記第３制御シグナリングに基づいて、前記周波数ホッピングの第１ステップの周波数領域位置を決定するように構成される第３決定サブユニット７０３２と、を備える。
【０１１０】
本発明の実施例では、前記第３制御シグナリングは、ＤＣＩ、またはＭＡＣ  ＣＥである。
【０１１１】
本発明の実施例では、前記第３制御シグナリングは、前記第１制御シグナリング及び前記第２制御シグナリングのうちの少なくとも１つと同一の制御シグナリングである。
【０１１２】
当業者は、図７に示されるチャネルの周波数ホッピングの決定装置における各ユニットの実現機能については、上記チャネルの周波数ホッピングの決定方法の関連する説明を参照することにより理解できることを理解すべきである。図７に示されるチャネルの周波数ホッピングの決定装置における各ユニットの機能は、プロセッサで実行されるプログラムによって実現されてもよく、または具体的な論理回路によって実現されてもよい。
【０１１３】
本発明の実施例の上記チャネルの周波数ホッピングの決定装置は、ソフトウェア機能モジュールの形式で実現され、且つ独立した製品として販売または使用される場合、コンピュータ読み取り可能な記憶媒体に格納できる。このような知見に基づき、本発明の実施例の技術案では、本質的に、または従来技術に寄与する部分は、ソフトウェア製品の形式で具現化でき、該コンピュータのソフトウェア製品は、記憶媒体に格納され、コンピュータ装置（パーソナルコンピュータ、サーバ、またはネットワーク装置などであってもよい）に本発明における各実施例に記載の方法の全部または一部を実行させるための複数の命令を含む。前述した記憶媒体は、Ｕディスク、モバイルディスク、読み取り専用メモリ（ＲＯＭ：Ｒｅａｄ  Ｏｎｌｙ  Ｍｅｍｏｒｙ）、磁気ディスクまたは光ディスクなど、プロクラムコードを格納可能なさまざまな媒体を含む。このように、本発明の実施例は、いずれかのハードウェアとソフトウェアの特定の組み合わせに限定されない。
【０１１４】
対応して、本発明の実施例は、コンピュータ記憶媒体をさらに提供し、コンピュータ実行可能命令が記憶されており、該コンピュータ実行可能命令がプロセッサによって実行されるときに、本発明の実施例の上記チャネルの周波数ホッピングの決定方法を実現する。
【０１１５】
図８は本発明の実施例の端末の構造構成概略図であり、図８に示されるように、端末８０は、１つまたは複数の（図において１つのみ示す）プロセッサ８０２（プロセッサ８０２は、マイクロプロセッサー（ＭＣＵ：Ｍｉｃｒｏ  Ｃｏｎｔｒｏｌｌｅｒ  Ｕｎｉｔ）またはプログラマブルロジックデバイス（ＦＰＧＡ：Ｆｉｅｌｄ  Ｐｒｏｇｒａｍｍａｂｌｅ  Ｇａｔｅ  Ａｒｒａｙ）などの処理装置を含むがこれらに限定されない）、データを記憶するメモリ８０４、及び通信機能を奏する伝送装置８０６を備える。当業者は、図８に示される構造は例示なものに過ぎず、上記電子装置の構造を限定するものではない。たとえば、端末８０は、図８に示されるより多くまたはより少ないユニットをさらに備えてもよく、または、図８に示されるものと異なる構成を有してもよい。
【０１１６】
メモリ８０４は、本発明の実施例におけるチャネルの周波数ホッピングの決定方法に対応するプログラム命令／モジュールなどのアプリケーションソフトのソフトウェアプログラム及びモジュールを格納するように構成され、プロセッサ８０２は、メモリ８０４に格納されるソフトウェアプログラム及びモジュールを実行することにより、各種の機能アプリケーション及びデータ処理を実行し、すなわち上記方法を実現する。メモリ８０４は、高速ランダムアクセスメモリを含み、１つまたは複数の磁気記憶装置、フラッシュメモリ、または他の不揮発性固体メモリなどの不揮発性メモリをさらに含んでもよい。いくつかの実例では、メモリ８０４は、プロセッサ８０２に対してリモートに設置されたメモリをさらに含んでもよく、こっらのリモートメモリはネットワークを介して端末８０に接続されることができる。上記ネットワークの実例は、インターネット、イントラネット、ローカルエリアネットワーク、移動通信ネットワーク及びそれらの組み合わせを含むがこれらに限定されない。
【０１１７】
伝送装置８０６は、１つのネットワークを介してデータを送受信するように構成される。上記ネットワークの具体的な実例は、端末８０の通信ベンダーによって提供された無線ネットワークを含んでもよい。一実例では、伝送装置８０６は、基地局を介して他のネットワーク装置に接続してインターネットと通信できるネットワークアダプタ（ＮＩＣ：Ｎｅｔｗｏｒｋ  Ｉｎｔｅｒｆａｃｅ  Ｃｏｎｔｒｏｌｌｅｒ）を備える。一実例では、伝送装置８０６は、無線方式でインターネットと通信できるように構成される無線周波数（ＲＦ：Ｒａｄｉｏ  Ｆｒｅｑｕｅｎｃｙ）モジュールであってもよい。
【０１１８】
互いに矛盾しない限り、本発明の実施例に記載の技術案は、任意に組み合わせることができる。
【０１１９】
なお、本発明に係るいくつかの実施例では、開示された方法及びスマートデバイスは、他の形態により実現されてもよい。以上の説明した装置の実施例は、例示的なものに過ぎず、たとえば、前記ユニットの分割は、論理的な機能の分割に過ぎず、実際の実装では、別の分割方式があってもよく、たとえば、複数のモジュール又はユニットは、別のシステムに組み合わせ又は統合してもよく、又は一部の特徴を無視してもよく、又は実行しなくてもよい。また、表示又は検討される各構成部分の相互な結合又は直接的な結合又は通信接続は、いくつかのインタフェース、装置又はモジュールを介した間接的な結合又は通信接続であってもよく、電気的、機械的又は他の形式であってもよい。
【０１２０】
分離部品として説明した上記モジュールは、物理的に分割してもよく、物理的に分割しなくてもよく、モジュールとして表示される部品は、物理的モジュールであってもよく、物理的モジュールでなくてもよく、すなわち、１つの箇所に位置してもよく、又は複数のネットワークモジュールに分布してもよく、実際のニーズに応じて、一部又は全てのモジュールを選択して本実施例の技術案の目的を実現することができる。
【０１２１】
また、本発明の各実施例における各機能モジュールは、１つのプロセスモジュールに統合されてもよく、又は各モジュールが別々に物理的に存在し、さらに、２つ以上のモジュールが１つのモジュールに統合されてもよい。上記統合されたモジュールは、ハードウェアの形式で実装でき、又はソフトウェア機能モジュールの形式で実装されてもよい。
【０１２２】
以上、本発明の具体的な実施形態に過ぎず、本発明の保護範囲は、これに限定されるものではなく、本発明に開示される技術範囲内に、当業者が容易に想到できる変化や置換は、いずれも本発明の保護範囲内に含まれるべきである。
【図１】
2020533875.tif 000009
【図２】
2020533875.tif 000010
【図３】
2020533875.tif 000011
【図４】
2020533875.tif 000012
【図５】
2020533875.tif 000013
【図６】
2020533875.tif 000014
【図７】
2020533875.tif 000015
【図８】
2020533875.tif 000016
【国際調査報告】
2020533875.tif 000017
2020533875.tif 000018
2020533875.tif 000019
2020533875.tif 000020